【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
壁部またはフレームなどの静止支持構造体（Ｓ）に固定された、扉、シャッタその他の類似物等の閉鎖要素（Ｄ）の開動作及び／又は閉動作中に回転可能に動作し及び／又はチェックするためのヒンジ装置であって、
前記ヒンジ装置は、
前記静止支持構造体（Ｓ）に固定可能な固定要素（１０）と、
前記閉鎖要素（Ｄ）に固定可能な可動要素（１１）であって、前記可動要素（１１）と前記固定要素（１０）とは開位置と閉位置の間で第１長手軸（Ｘ）の周囲を回転するように相互に連結されている、可動要素（１１）と、
前記開位置と閉位置の一方に対応する第１端部ストローク位置と、前記開位置と閉位置の他方に対応する第２端部ストローク位置との間で第２軸（Ｘ）に沿って可動である少なくとも１つのスライダ（３０、６０）と、を含み、
前記固定要素（１０）と前記可動要素（１１）の一方は、前記少なくとも１つのスライダ（３０、６０）をスライド可能に収容するように、前記第２長手軸（Ｘ）を画定する少なくとも１つの作動チャンバ（２０）を備えており、前記固定要素（１０）と前記可動要素（１１）の他方は、前記第１長手軸（Ｘ）を画定するピボット（５０）を備えており、前記ピボット（５０）と前記少なくとも１つのスライダ（３０、６０）は相互に連結されており、前記第１長手軸（Ｘ）周囲での前記可動要素（１１）の回転は前記第２長手軸（Ｘ）に沿った前記少なくとも１つのスライダ（３０、６０）のスライド動作の少なくとも一部に対応しており、またその逆も同じであり、前記少なくとも１つの作動チャンバ（２０）は少なくとも１つの端部キャップ（２７）を含んでおり、
前記少なくとも１つの作動チャンバ（２０）は、前記少なくとも１つのスライダ（３０、６０）の作用に液圧的に対抗するように前記少なくとも１つのスライダに作用する作動流体を含んでおり、前記少なくとも１つのスライダ（３０、６０）は、前記作動チャンバ（２０）を、相互流体連通し好適には相互に隣接している少なくとも１つの第１可変容積コンパートメント（２３）と少なくとも１つの第２可変容積コンパートメント（２４）とに分割するプランジャ部材（３０）を含んでおり、前記プランジャ部材（３０）は、前記閉鎖要素（Ｄ）の開動作または閉動作の一方の間、前記第１可変容積コンパートメント（２３）と前記第２可変容積コンパートメント（２４）との間で前記作動流体を流通させ、前記閉鎖要素の開動作または閉動作の他方の間、前記作動流体の流通を防止する第１バルブ手段（３２）を備え、前記閉鎖要素（Ｄ）の開動作または閉動作の前記他方の間に前記第１可変容積コンパートメント（２３）と前記第２可変容積コンパートメント（２４）との間で前記作動流体を流通させる液圧回路（１００）がさらに設けられており、
前記液圧回路（１００）は、前記第１可変容積コンパートメント（２３）および前記第２可変容積コンパートメント（２４）の両方と流体連通する、前記少なくとも１つの端部キャップ（２７）を通過する少なくとも１つの第１ダクト（１２０）を含んでおり、前記少なくとも１つの端部キャップ（２７）は、前記少なくとも１つの第１ダクト（１２０）と相互作用する第１端部（１０４）と、流通する前記作動流体の流通断面を調節するためにユーザによって外部から制御可能な第２端部（１０５）とを有した少なくとも１つの第１調節部材（１０３）をさらに含んでおり、
前記液圧回路（１００）は、前記第１可変容積コンパートメント（２３）と前記第２可変容積コンパートメント（２４）の両方と流体連通する前記少なくとも１つの端部キャップ（２７）を通過する第２ダクト（１５０）を含んでおり、前記少なくとも１つの端部キャップ（２７）は、前記少なくとも１つの第２ダクト（１５０）と相互作用する第３端部（１７１）と、流通する前記作動流体の流通断面を調節するためにユーザによって外部から制御可能な第４端部（１７２）とを有した少なくとも１つの第２調節部材（１７０）をさらに含んでいる、
ヒンジ装置。
【請求項２】
前記少なくとも１つの端部キャップ（２７）は前記少なくとも１つの作動チャンバ（２０）内で延びる長形管状壁部（２８）を含んでおり、前記液圧回路（１００）は前記作動チャンバ（２０）と前記長形管状壁部（２８）と間に空間を含んでいる、請求項１記載のヒンジ装置。
【請求項３】
前記長形管状壁部（２８）は前記少なくとも１つの作動チャンバ（２０）内に密着挿入されており、前記プランジャ部材（３０）は前記長形管状壁部（２８）内に密着挿入されており、前記長形管状壁部は、前記第１可変容積コンパートメント（２３）と前記第２可変容積コンパートメント（２４）の一方に第１ポート（１０２）を有し且つ前記少なくとも１つの第１ダクト（１２０）を介して前記第１可変容積コンパートメント（２３）と前記第２可変容積コンパートメント（２４）の他方と流体連通状態にある第２ポート（１０８）を有した少なくとも１つの第１周囲導通路（１０７）を含んでいる、請求項２記載のヒンジ装置。
【請求項４】
前記長形管状壁部（２８）は、前記少なくとも１つの端部キャップ（２７）の前記少なくとも１つの作動チャンバ（２０）との連結が前記液圧回路（１００）を画定するように、前記少なくとも１つの端部キャップ（２７）と一体的に連結されており、前記液圧回路は、本質的に、前記作動チャンバ（２０）と前記長形管状壁部（２８）との間の前記空間および前記少なくとも１つの端部キャップ（２７）を通過する前記少なくとも１つの第１ダクト（１２０）のみから成る、請求項１から３のいずれか１項に記載のヒンジ装置。
【請求項５】
前記第１バルブ手段（３２）は、前記液圧回路（１００）を通って前記作動流体を流通させるように、前記第１可変容積コンパートメント（２３）から前記第２可変容積コンパートメント（２４）への前記作動流体の流通で開き、前記第２可変容積コンパートメント（２４）から前記第１可変容積コンパートメント（２３）への前記作動流体の流通で閉じるように構成されている、請求項１から４の１項いずれかに記載のヒンジ装置。
【請求項６】
前記少なくとも１つの第１調節部材（１０３）の前記第１端部（１０４）は略円錐台形状を有しており、前記少なくとも１つの第１ダクト（１２０）は、前記少なくとも１つの第１調節部材（１０３）の前記第１端部（１０４）に共に面する第１入口分岐部（１２１）と第１出口分岐部（１２３）とを含んでおり、前記第１入口分岐部（１２１）は、前記作動流体の流通の変動を最小化または排除するように、前記第１出口分岐部が面する断面よりも大きな断面を有する前記少なくとも１つの第１調節部材（１０３）の前記第１端部（１０４）の部分に面している、請求項５に記載のヒンジ装置。
【請求項７】
前記少なくとも１つのプランジャ部材（３０）と前記第１導通路（１０７）は相互に構成されており、前記第１ポート（１０２）は前記少なくとも１つのプランジャ部材（３０）の全体的なストロークにおいて流動自由の状態のままであり、前記少なくとも１つの第１調節部材（１０３）は前記閉鎖要素（Ｄ）の閉動作または開動作時に速度を調節することができる、請求項６に記載のヒンジ装置。
【請求項８】
前記少なくとも１つの第１ダクト（１２０）と前記第２ダクト（１５０）は前記第１軸（Ｘ）に沿って配置された単一の中央コレクタ（１２２）と流体連通しており、前記少なくとも１つの調節部材（１０３）と前記少なくとも１つの第２調節部材（１７０）は、前記第１軸（Ｘ）を通過するメジアン平面（πＭ）に対して反対側にそれぞれ配置されている、請求項１から７のいずれか１項記載のヒンジ装置。
【請求項９】
前記長形管状壁部（２８）は、前記第１可変容積コンパートメント（２３）と前記第２可変容積コンパートメント（２４）の一方に第３ポート（１６１）を有し、さらに前記少なくとも１つの第２ダクト（１５０）を介して、前記第１可変容積コンパートメント（２３）と前記第２可変容積コンパートメント（２４）の他方と流体連通する第４ポート（１６２）を有する第２周辺導通路（１６０）を含んでいる、請求項１から８のいずれか１項に記載のヒンジ装置。
【請求項１０】
前記液圧回路（１００）は、前記第１可変容積コンパートメント（２３）と前記第２可変容積コンパートメント（２４）の両方と流体連通する前記少なくとも１つの端部キャップ（２７）を通過する第３ダクト（１３０）をさらに含んでおり、前記長形管状壁部（２８）は前記第１可変容積コンパートメント（２３）と前記該第２可変容積コンパートメント（２４）の一方に第５ポート（１３２）を含み、前記第３ダクト（１３０）を介して前記第１可変容積コンパートメント（２３）と前記第２可変容積コンパートメント（２４）の他方と流体連通する第６ポート（１３３）をさらに含み、前記少なくとも１つの端部キャップ（２７）は、前記少なくとも１つの作動チャンバ（２０）の圧力（ＰＣ）が所定の圧力閾値（ＰＴ）を超えたとき、前記少なくとも１つの第１周囲導通路（１０７）を前記作動流体が通過すると選択的に開くよう前記第３ダクト（１３０）に作用する第２バルブ手段（１４０）をさらに含んでおり、前記第３ダクト（１３０）は前記少なくとも１つの第１ダクト（１２０）および第２ダクト（１５０）に対して非整合である、請求項１から９のいずれか１項に記載のヒンジ装置。 
【手続補正２】
【補正対象書類名】明細書
【補正対象項目名】００４４
【補正方法】変更
【補正の内容】
【００４４】
本発明の有利な実施態様は従属請求項において定義されている。
（本発明の開示）
（項目１）
壁部またはフレームなどの静止支持構造体（Ｓ）に固定された、扉、シャッタその他の類似物等の閉鎖要素（Ｄ）の開動作及び／又は閉動作中に回転可能に動作し及び／又はチェックするためのヒンジ装置であって、
前記ヒンジ装置は、
前記静止支持構造体（Ｓ）に固定可能な固定要素（１０）と、
前記閉鎖要素（Ｄ）に固定可能な可動要素（１１）であって、前記可動要素（１１）と前記固定要素（１０）とは開位置と閉位置の間で第１長手軸（Ｘ）の周囲を回転するように相互に連結されている、可動要素（１１）と、
前記開位置と閉位置の一方に対応する第１端部ストローク位置と、前記開位置と閉位置の他方に対応する第２端部ストローク位置との間で第２軸（Ｘ）に沿って可動である少なくとも１つのスライダ（３０、６０）と、を含み、
前記固定要素（１０）と前記可動要素（１１）の一方は、前記少なくとも１つのスライダ（３０、６０）をスライド可能に収容するように、前記第２長手軸（Ｘ）を画定する少なくとも１つの作動チャンバ（２０）を備えており、前記固定要素（１０）と前記可動要素（１１）の他方は、前記第１長手軸（Ｘ）を画定するピボット（５０）を備えており、前記ピボット（５０）と前記少なくとも１つのスライダ（３０、６０）は相互に連結されており、前記第１長手軸（Ｘ）周囲での前記可動要素（１１）の回転は前記第２長手軸（Ｘ）に沿った前記少なくとも１つのスライダ（３０、６０）のスライド動作の少なくとも一部に対応しており、またその逆も同じであり、前記少なくとも１つの作動チャンバ（２０）は少なくとも１つの端部キャップ（２７）を含んでおり、
前記少なくとも１つの作動チャンバ（２０）は、前記少なくとも１つのスライダ（３０、６０）の作用に液圧的に対抗するように前記少なくとも１つのスライダに作用する作動流体を含んでおり、前記少なくとも１つのスライダ（３０、６０）は、前記作動チャンバ（２０）を、相互流体連通し好適には相互に隣接している少なくとも１つの第１可変容積コンパートメント（２３）と少なくとも１つの第２可変容積コンパートメント（２４）とに分割するプランジャ部材（３０）を含んでおり、前記プランジャ部材（３０）は、前記閉鎖要素（Ｄ）の開動作または閉動作の一方の間、前記第１可変容積コンパートメント（２３）と前記第２可変容積コンパートメント（２４）との間で前記作動流体を流通させ、前記閉鎖要素の開動作または閉動作の他方の間、前記作動流体の流通を防止する第１バルブ手段（３２）を備え、前記閉鎖要素（Ｄ）の開動作または閉動作の前記他方の間に前記第１可変容積コンパートメント（２３）と前記第２可変容積コンパートメント（２４）との間で前記作動流体を流通させる液圧回路（１００）がさらに設けられている、ヒンジ装置。
（項目２）
前記液圧回路（１００）は、前記第１可変容積コンパートメント（２３）および前記第２可変容積コンパートメント（２４）の両方と流体連通する、前記少なくとも１つの端部キャップ（２７）を通過する少なくとも１つの第１ダクト（１２０）を含んでいる、項目１記載のヒンジ装置。
（項目３）
前記少なくとも１つの端部キャップ（２７）は前記少なくとも１つの作動チャンバ（２０）内で延びる長形管状壁部（２８）を含んでおり、前記液圧回路（１００）は前記作動チャンバ（２０）と前記長形管状壁部（２８）と間に空間を含んでいる、項目１または２記載のヒンジ装置。
（項目４）
前記長形管状壁部（２８）は前記少なくとも１つの作動チャンバ（２０）内に密着挿入されており、前記プランジャ部材（３０）は前記長形管状壁部（２８）内に密着挿入されており、前記長形管状壁部は、前記第１可変容積コンパートメント（２３）と前記第２可変容積コンパートメント（２４）の一方に第１ポート（１０２）を有し且つ前記少なくとも１つの第１ダクト（１２０）を介して前記第１可変容積コンパートメント（２３）と前記第２可変容積コンパートメント（２４）の他方と流体連通状態にある第２ポート（１０８）を有した少なくとも１つの第１周囲導通路（１０７）を含んでいる、項目３記載のヒンジ装置。
（項目５）
前記少なくとも１つの端部キャップ（２７）は、前記少なくとも１つの第１ダクト（１２０）と相互作用する第１端部（１０４）と、流通する前記作動流体の流通断面を調節するためにユーザによって外部から制御可能な第２端部（１０５）とを有した少なくとも１つの第１調節部材（１０３）をさらに含んでいる、項目１から４のいずれか１項に記載のヒンジ装置。
（項目６）
前記長形管状壁部（２８）は、前記少なくとも１つの端部キャップ（２７）の前記少なくとも１つの作動チャンバ（２０）との連結が前記液圧回路（１００）を画定するように、前記少なくとも１つの端部キャップ（２７）と一体的に連結されており、前記液圧回路は、本質的に、前記作動チャンバ（２０）と前記長形管状壁部（２８）との間の前記空間および前記少なくとも１つの端部キャップ（２７）を通過する前記少なくとも１つの第１ダクト（１２０）のみから成る、項目１から５のいずれか１項に記載のヒンジ装置。
（項目７）
前記第１バルブ手段（３２）は、前記液圧回路（１００）を通って前記作動流体を流通させるように、前記第１可変容積コンパートメント（２３）から前記第２可変容積コンパートメント（２４）への前記作動流体の流通で開き、前記第２可変容積コンパートメント（２４）から前記第１可変容積コンパートメント（２３）への前記作動流体の流通で閉じるように構成されている、項目１から６の１項いずれかに記載のヒンジ装置。
（項目８）
前記少なくとも１つの第１調節部材（１０３）の前記第１端部（１０４）は略円錐台形状を有しており、前記少なくとも１つの第１ダクト（１２０）は、前記少なくとも１つの第１調節部材（１０３）の前記第１端部（１０４）に共に面する第１入口分岐部（１２１）と第１出口分岐部（１２３）とを含んでおり、前記第１入口分岐部（１２１）は、前記作動流体の流通の変動を最小化または排除するように、前記第１出口分岐部が面する断面よりも大きな断面を有する前記少なくとも１つの第１調節部材（１０３）の前記第１端部（１０４）の部分に面している、項目７に記載のヒンジ装置。
（項目９）
前記少なくとも１つのプランジャ部材（３０）と前記第１導通路（１０７）は相互に構成されており、前記第１ポート（１０２）は前記少なくとも１つのプランジャ部材（３０）の全体的なストロークにおいて流動自由の状態のままであり、前記少なくとも１つの第１調節部材（１０３）は前記閉鎖要素（Ｄ）の閉動作または開動作時に速度を調節することができる、項目８に記載のヒンジ装置。
（項目１０）
前記液圧回路（１００）は、前記第１可変容積コンパートメント（２３）と前記第２可変容積コンパートメント（２４）の両方と流体連通する前記少なくとも１つの端部キャップ（２７）を通過する第２ダクト（１５０）を含んでおり、前記少なくとも１つの端部キャップ（２７）は、前記少なくとも１つの第２ダクト（１５０）と相互作用する第３端部（１７１）と、流通する前記作動流体の流通断面を調節するためにユーザによって外部から制御可能な第４端部（１７２）とを有した少なくとも１つの第２調節部材（１７０）をさらに含んでいる、項目１から９のいずれか１項に記載のヒンジ装置。
（項目１１）
前記少なくとも１つの第１ダクト（１２０）と前記第２ダクト（１５０）は前記第１軸（Ｘ）に沿って配置された単一の中央コレクタ（１２２）と流体連通しており、前記少なくとも１つの調節部材（１０３）と前記少なくとも１つの第２調節部材（１７０）は、前記第１軸（Ｘ）を通過するメジアン平面（πＭ）に対して反対側にそれぞれ配置されている、項目１０記載のヒンジ装置。
（項目１２）
前記長形管状壁部（２８）は、前記第１可変容積コンパートメント（２３）と前記第２可変容積コンパートメント（２４）の一方に第３ポート（１６１）を有し、さらに前記少なくとも１つの第２ダクト（１５０）を介して、前記第１可変容積コンパートメント（２３）と前記第２可変容積コンパートメント（２４）の他方と流体連通する第４ポート（１６２）を有する第２周辺導通路（１６０）を含んでいる、項目１０または１１に記載のヒンジ装置。
（項目１３）
前記少なくとも１つのプランジャ部材（３０）と前記第２周辺導通路（１６０）は、前記少なくとも１つのプランジャ部材（３０）のストロークの一部で前記第３ポート（１６１）が流動遮断状態のままであり、そのストロークの第２部分で流動自由状態となるように相互に構成されており、前記第３ポート（１６１）は、前記閉鎖要素（Ｄ）の開位置または閉位置側に前記閉鎖要素がスナップ式にフィットするように前記閉鎖要素の開位置または閉位置の近傍で流動自由状態のままであるように前記プランジャ部材とは離れた関係にあり、前記第２調節部材（１７０）は閉位置または開位置側への前記閉鎖要素（Ｄ）のスナップ式フィットの力を調節できる、項目１２に記載のヒンジ装置。
（項目１４）
前記少なくとも１つの調節部材（１７０）の前記第３端部（１７１）は略円錐台形状であり、前記少なくとも１つの第２ダクト（１５０）は、前記少なくとも１つの第２調節部材（１７０）の前記第３端部（１７１）に共に面する第２入口分岐部（１５１）と第２出口分岐部（１５２）とを含んでおり、前記第２入口分岐部（１５１）は、前記作動流体の流れの変動を最小化または排除するように、前記第２出口分岐部（１５２）が面する断面よりも大きな断面を有する前記少なくとも１つの第２調節部材（１７０）の前記第３端部（１７１）の部分に面している、項目１０、１１、１２または１３に記載のヒンジ装置。
（項目１５）
前記第１入口分岐部（１２１）と前記第２入口分岐部（１５１）、または、前記第１出口分岐部（１２３）と前記第２出口分岐部（１５２）は、前記第１可変容積コンパートメント（２３）と前記第２可変容積コンパートメント（２４）の前記他方と、それらの分岐部とを流体連通状態にすべく前記単一中央コレクタ（１２２）に合流するよう相互に対面しており、前記第１出口分岐部（１２３）と前記第２出口分岐部（１５２）、または、前記第１入口分岐部（１２１）と前記第２入口分岐部（１５１）は両方とも前記第１可変容積コンパートメント（２３）と前記第２可変容積コンパートメント（２４）の前記一方と流体連通している、項目１４に記載のヒンジ装置。
（項目１６）
前記液圧回路（１００）は、前記第１可変容積コンパートメント（２３）と前記第２可変容積コンパートメント（２４）の両方と流体連通する前記少なくとも１つの端部キャップ（２７）を通過する第３ダクト（１３０）をさらに含んでおり、前記長形管状壁部（２８）は前記第１可変容積コンパートメント（２３）と前記該第２可変容積コンパートメント（２４）の一方に第５ポート（１３２）を含み、前記第３ダクト（１３０）を介して前記第１可変容積コンパートメント（２３）と前記第２可変容積コンパートメント（２４）の他方と流体連通する第６ポート（１３３）をさらに含み、前記少なくとも１つの端部キャップ（２７）は、前記少なくとも１つの作動チャンバ（２０）の圧力（ＰＣ）が所定の圧力閾値（ＰＴ）を超えたとき、前記少なくとも１つの第１周囲導通路（１０７）を前記作動流体が通過すると選択的に開くよう前記第３ダクト（１３０）に作用する第２バルブ手段（１４０）をさらに含んでおり、前記第３ダクト（１３０）は前記少なくとも１つの第１ダクト（１２０）および第２ダクト（１５０）に対して非整合である、項目１から１５のいずれか１項に記載のヒンジ装置。
（項目１７）
前記液圧回路（１００）は、前記第１可変容積コンパートメント（２３）と前記第２可変容積コンパートメント（２４）の一方に第１開口（１０２）を備えた少なくとも１つの第１チャネル（１０７）を含んでおり、前記液圧回路（１００）は、前記第１開口（１０２）と流体連通する少なくとも１つの第２開口（１２１）と、前記第１可変容積コンパートメント（２３）と前記第２可変容積コンパートメント（２４）の他方と流体連通する少なくとも１つの第３開口（１２２）とを含んだ前記少なくとも１つの端部キャップ（２７）を通過する少なくとも１つの第１ダクト（１２０）をさらに含んでいる、項目１から１６のいずれか１項に記載のヒンジ装置。
（項目１８）
前記液圧回路（１００）は、前記第１可変容積コンパートメント（２３）および前記第２可変容積コンパートメント（２４）と流体連通状態にするために前記少なくとも１つの端部キャップ（２７）を通過する少なくとも１つの第２ダクト（１３０）をさらに含んでおり、前記少なくとも１つの端部キャップ（２７）は、前記少なくとも１つの作動チャンバ（２０）の圧力（ＰＣ）が所定の圧力閾値（ＰＴ）を超えたとき、前記少なくとも１つの第１チャネル（１０７）を前記作動流体が通過すると選択的に開くよう前記少なくとも１つの第２ダクト（１３０）に作用する第２バルブ手段（１４０）をさらに含んでいる、項目１から１７のいずれか１項に記載のヒンジ装置。
（項目１９）
前記少なくとも１つの端部キャップ（２７）は前記所定の圧力閾値（ＰＴ）を調節するための手段をさらに含んでいる、項目１８記載のヒンジ装置。
（項目２０）
前記圧力閾値（ＰＴ）は、前記閉鎖要素（Ｄ）の開動作及び／又は閉動作を行うユーザによる前記閉鎖要素のアンヒンジングを回避するようにキャリブレーションされる、項目１８または１９に記載のヒンジ装置。
（項目２１）
前記第２バルブ手段（１４０）は、前記少なくとも１つの第２ダクト（１３０）を前記作動流体が通過することを防止し、前記少なくとも１つの第１ダクト（１２０）を通過するよう強制するために、前記少なくとも１つの作動チャンバ（２０）の圧力（ＰＣ）が前記所定の圧力閾値（ＰＴ）を下回ると閉じられる、項目１９または２０に記載のヒンジ装置。
（項目２２）
前記液圧回路（１００）は、前記第１可変容積コンパートメント（２３）と前記第２可変容積コンパートメント（２４）の前記一方に第４開口（１３２）を有し且つ前記少なくとも１つの第２ダクト（１３０）と流体連通する第５開口（１３３）をさらに有する少なくとも１つの第２チャネル（１３１）を含む、項目１から２１のいずれか１項に記載のヒンジ装置。
（項目２３）
前記少なくとも１つの作動チャンバ（２０）は、前記第１端部ストローク位置と前記第２端部ストローク位置の一方から、前記第１端部ストローク位置と前記第２端部ストローク位置の他方まで戻すために、前記少なくとも１つのスライダ（３０、６０）に作用する第１弾性対抗手段（４０）をさらに含んでおり、前記圧力閾値（ＰＴ）は前記第１弾性対抗手段（４０）によって前記作動チャンバ（２０）に加えられる最大圧力（ＰＣｍａｘ）よりも大きい、項目１から２２のいずれか１項に記載のヒンジ装置。
（項目２４）
前記圧力閾値（ＰＴ）は前記最大圧力（ＰＣｍａｘ）より１５％から３０％大きい、項目２３に記載のヒンジ装置。
（項目２５）
前記第２バルブ手段（１４０）は、前記少なくとも１つの第２ダクト（１３０）に作用するシャッタ要素（１４１）と、前記シャッタ要素（１４１）に作用する第２弾性手段（１４２）とを含んでおり、前記第２弾性手段（１４２）は前記圧力閾値（ＰＴ）を提供するように選択される、項目１から２４のいずれか１項に記載のヒンジ装置。
（項目２６）
前記所定の圧力閾値（ＰＴ）を調節するための前記手段は、前記第２弾性手段（１４２）に作用し、前記シャッタ要素（１４１）へのその作用を変更するようユーザによって外部から制御可能な調節スクリュ（１４３）を含んでいる、項目２５に記載のヒンジ装置。